(57)【要約】【課題】避難装置の重量の増加を抑えつつ、より強力な拳銃に対する耐衝撃性の向上に加えて、バーナーなどの火器による攻撃に対する耐熱性、耐火性とドリルやハンドグラインダーなどの工作工具による攻撃に対する対切削性を向上させること。【解決手段】フレーム２を枠状に組立てて直方体形状の骨格とし、このフレーム２の枠状部にパネル３を取付けて形成した避難装置において、前記パネル３を金属板１０と耐衝撃性樹脂板１２とをケイ酸カルシウム板からなる断熱層１１を介して積層して形成し、前記枠状部の内周縁に枠の内側へ向かって張り出したフランジ６を設け、このフランジ６とフレーム２に対して着脱自在の固定具８とで、前記パネル３を、その外周縁とフレームとの間に隙間Ａを設けた状態で挟持した。【選択図】図１
2006006722.tif 000002
【特許請求の範囲】
【請求項１】
フレームを枠状に組立てて直方体形状の骨格とし、このフレームの枠状部にパネルを取付けて形成した避難装置において、
前記パネルを、金属板と耐衝撃性樹脂板とを積層して形成することを特徴とする避難装置。
【請求項２】
前記パネルを、金属板と耐衝撃性樹脂板とを断熱層を介して積層して形成することを特徴とする請求項１記載の避難装置。
【請求項３】
前記枠状部の内周縁に枠の内側へ向かって張り出したフランジを設け、このフランジとフレームに対して着脱自在の固定具とで、前記パネルの端縁部を挟持することを特徴とする請求項１又は２に記載の避難装置。
【請求項４】
前記パネルを、その外周縁とフレームとの間に隙間を設けた状態で挟持することを特徴とする請求項３記載の避難装置。
【請求項５】
前記断熱層を、ケイ酸カルシウム板で形成したことを特徴とする請求項２記載の避難装置。
【発明の詳細な説明】
【技術分野】
【０００１】
本発明は、建物の内部や屋外に設置する避難装置に関する。詳細には、避難装置の耐久性を向上するための壁面の構造に関する。
【背景技術】
【０００２】
近年では、わが国においても住居侵入やコンビニ強盗などの犯罪の増加、凶悪化が顕著である。海外の犯罪先進国等では、住宅や店舗などへの侵入者対策として、セーフルームと呼ばれる部屋やシェルターを設けて避難スペースとして利用しているが、わが国においてはそういった避難装置の導入は始まったものの、一般に普及するには至っていない。
【０００３】
海外で使用されているボックスタイプのセーフルームは、侵入者の攻撃手段として強力な火器、爆薬、ガスなどのテロのような過激な方法をも想定しており、それらに耐えるために強固な構造になっている。しかし、その分重量が非常に重くなってしまっており、例えば、床面積が約０．７平方メートルの１〜２人用のボックスタイプのセーフルームで重量が約１２００ｋｇもあって、日本の住宅で使用するのには無理があった。
【０００４】
本出願人によって、軽量で十分な耐衝撃性を備えた避難装置について、すでに特許出願がなされている（特願２００３−３５６００１号等）。この避難装置は、ポリカーボネート板などを使用しているため軽量で、バットなどの金属棒やナイフ等に対しては十分な耐衝撃性を備えており、拳銃等に関しても米国司法省の研究所基準で防弾レベルIの性能を有している。また、内側からのみ開錠可能な施錠機構や、非常用の通信手段を備えており、避難した後に警備会社等に通報してから警備員等が到着するまでの、３０分から１時間程度の攻撃に十分耐えうるものであった。
【０００５】
一方、ポリカーボネートの耐熱温度は１２０度程で、高温に熱せられると溶解したり炎上したりするおそれがあり、バーナーなどの火器による攻撃に対する耐熱性、耐火性を向上する必要があった。また、ポリカーボネートは樹脂であるため、ドリルやハンドグラインダーなどの工作工具による攻撃に対しても十分な耐性を備えていない。
【０００６】
近年の犯罪の凶悪化の傾向から、バットやナイフのみでなく、バーナーや、より強力な拳銃などのさらに強力な攻撃手段に対応することは重要であるが、重量が増大してしまうことに問題があった。したがって、重量の増加を抑えて、耐熱性、耐火性の向上に加えて、ドリルやハンドグラインダーなどの工作工具に対する耐衝撃性や耐切削性を向上させることが重要な課題であった。
【発明の開示】
【発明が解決しようとする課題】
【０００７】
解決しようとする問題点は、避難装置の重量の増加を抑えつつ、より強力な拳銃に対する耐衝撃性の向上に加えて、バーナーなどの火器による攻撃に対する耐熱性、耐火性とドリルやハンドグラインダーなどの工作工具による攻撃に対する対切削性を向上させることである。
【課題を解決するための手段】
【０００８】
前記課題を解決するために、請求項１記載のごとく、フレームを枠状に組立てて直方体形状の骨格とし、このフレームの枠状部にパネルを取付けて形成した避難装置において、
前記パネルを、金属板と耐衝撃性樹脂板とを積層して形成した。
【０００９】
請求項２記載のごとく、前記パネルを、金属板と耐衝撃性樹脂板とを断熱層を介して積層して形成した。
【００１０】
請求項３記載のごとく、前記枠状部の内周縁に枠の内側へ向かって張り出したフランジを設け、このフランジとフレームに対して着脱自在の固定具とで、前記パネルの端縁部を挟持した。
【００１１】
請求項４記載のごとく、前記パネルを、その端縁部とフレームとの間に隙間を設けた状態で挟持した。
【００１２】
請求項５記載のごとく、前記断熱層を、ケイ酸カルシウム板で形成した。
【発明の効果】
【００１３】
請求項１記載のごとく、金属板と耐衝撃性樹脂板とを積層してパネルを形成したことにより、重量の増加を抑えるとともに、拳銃などに対する耐衝撃性だけでなく、ドリルやハンドグラインダーなどの工作工具による攻撃に対する対切削性を備えた避難装置が得られる。
【００１４】
請求項２記載のごとく、金属板と耐衝撃性樹脂板とを断熱層を介して積層してパネルを形成したことにより、耐衝撃性の向上と耐切削性に加えて、バーナーなどの火器による攻撃に対する耐熱性、耐火性を備えた避難装置を得ることができる。
【００１５】
請求項３記載のごとく、フレームの内周縁に設けたフランジと固定具とでパネルを挟持したことにより、避難装置の形成時にはその強度を失わずにパネルが容易に着脱自在となり、パネルの構成板材を交換したり増設したりして、簡便にユーザーの必要とする防犯レベルや使用態様に対応することができ、納期の短縮やコストの低減が図れるとともにユーザーそれぞれが必要に応じてパネルの構成板材を交換したり補強したりすることができる。
【００１６】
請求項４記載のごとく、前記パネルの端縁部とフレームとのあいだに隙間を設けたことにより、パネルは面方向に固定されず、膨張率、収縮率の異なる板材を組合せて積層しても反りなどの変形を抑えることができる。
【００１７】
請求項５記載のごとく、前記断熱層をケイ酸カルシウム板で形成したことにより、耐衝撃性の向上と耐切削性に加えて、軽量で耐火性や耐熱性に優れたパネルが得られる。
【発明を実施するための最良の形態】
【００１８】
第１図は本発明に係る避難ボックス１の斜視図である。
この避難ボックス１は、フレーム２を枠状に組立てて直方体形状の骨格とし、このフレーム２の枠状部にパネル３を取付けて形成する。また、避難ボックス１に出入口を設け、この出入口には、フレーム２を枠状に形成して、この枠状部にパネル３を取付けて形成したドア４を設ける。
このドア４は取っ手５や内側からのみ開錠可能な施錠機構（図示せず）を備えており、また、避難ボックス１の内部には非常用の通報手段（図示せず）を設ける。
【００１９】
第２図はパネル３の取付け構造を示す斜視図である。
枠状に組立てられたフレーム２の内周縁には、枠の内側に向かってフランジ６が張り出している。このフランジ６は、フレーム２と一体的に形成するか、またはフレーム２を枠状に組付ける際に取付けて固定してもよい。
このフランジ６にクッション７を介してパネル３の端縁部を押し当て、さらにパネル３の端縁部にクッション７を介して固定具８を押し当てて、ボルト９を用いてパネル３をフレーム２に固定する。
【００２０】
第３図はパネル３をフレーム２に取付けた状態の縦断面図である。
パネル３がフランジ６と固定具８によってクッション７を介して挟持されている。フレーム２の枠状部はパネル３のサイズよりも少し大きく組立られており、パネル３の上部に隙間Ａが形成されている。
本実施例においては、パネル３は３層で構成されており、前面側から、金属板１０、断熱板１１、ポリカーボネート板１２の順に配置されている。
【００２１】
最前面に配置する金属板１０には、鉄板や鋼板、ステンレス板やチタン板などを用いる。金属板１０を前面に用いることで、耐衝撃性に加えて、ドリルやハンドグラインダーなどの攻撃手段に対する耐切削性を向上させることができる。
また、金属板１０とポリカーボネート板１２の間にケイ酸カルシウムなどにより形成された断熱板１１を挟むことで、ポリカーボネート板１２に熱を伝わりにくくして、溶解や炎上のおそれを少なくすることができる。金属板１０にステンレス板やチタン板を用いると、熱伝導度が低いため熱が伝わりにくく、これらの材料を用いると耐熱性はさらに向上する。
【００２２】
フレーム２に設けられたフランジ６と固定具８とによってクッション７を介してパネル３を挟持するため、パネル３には穴等を設けることなくフレーム２に取付けることができて、パネル３の強度を保つことができる。パネル３に加えられた衝撃は、フランジ６と固定具８によって固定されたパネル３の端縁部全体で受ける。また、クッション７によって衝撃を吸収して、耐久性を保つとともに衝撃音などを小さくして内部に避難した人の恐怖感を和らげる。
【００２３】
パネル３は、固定具８とボルト９によってフレーム２に取付けられており、容易に着脱可能となっている。そのため、パネル３の構成板材を交換したり増設したりすることで、簡便にユーザーの必要とする防犯レベルや使用態様に対応することができるためコストを低く抑えることができるし、また、ユーザーがそれぞれ必要に応じてパネルの構成板材を交換したり補強したりすることもできる。
【００２４】
また、パネル３の構成板材はそれぞれ膨張率や収縮率が異なるが、フレーム２の枠状部はパネル３よりも大きめに組立てられており、パネル３の端縁部とフレーム２との間には隙間Ａが形成されているため、パネル３は面方向へ膨張収縮することができ、反りなどの変形が生じることを防いでいる。
【００２５】
骨格となるフレーム２に強度、重量など種々の特性をもったパネル３を組合せて取付ける構成とすることで、ユーザーの様々な需要に迅速に対応することができるため、納期の短縮、コストの低減が図れる。
また、パネル３の性能としても、金属板１０にステンレスを用い、この金属板１０とポリカーボネート板１２とで断熱板１１を挟んだパネル３は、厚さが１０数ｍｍ、大きさが４００ｍｍ×４００ｍｍのもので、重さは約４ｋｇであり、米国司法省の研究所基準でIIIＡのレベルを有する。
【図面の簡単な説明】
【００２６】
【図１】本発明に係る避難ボックスの斜視図。
【図２】パネルの取付け構造を示す斜視図。
【図３】パネルをフレーム２に取付けた状態の断面図。
【符号の説明】
【００２７】
１    避難ボックス
２    フレーム
３    パネル
４    ドア
５    取っ手
６    フランジ
７    クッション
８    固定板
９    ボルト
１０  金属板
１１  断熱板
１２  ポリカーボネート板
Ａ    隙間
【図１】
2006006722.tif 000003
【図２】
2006006722.tif 000004
【図３】
2006006722.tif 000005